(57)【要約】【課題】  重量のある設置物を折板屋根上に十分な取付強度をもって設置可能とする折板屋根用架台を提供する。【解決手段】  本発明に係る折板屋根用架台は、折板屋根１上に設置される設置物を支持するアルミフレームと、折板屋根１上のハゼ部２に当接する第１当接部２１Ａを有する第１挟持部材２０、ハゼ部２に当接して第１当接部２１Ａとともにハゼ部２を挟持する第２当接部３１Ａを有する第２挟持部材３０、第１挟持部材２０及び第２挟持部材３０に形成された挿通孔を挿通するボルト４０、並びに、ボルト４０と螺合するナット４１を有する取付金具１０とを備え、前記アルミフレームの少なくとも一部が、取付ボルト２４及び取付ナット２８により第１挟持部材２０に締結される。【選択図】  図１１
2018197442.tif 000002
【特許請求の範囲】
【請求項１】
断面波形の折板屋根の上に設置される設置物を支持するフレーム部材と、
前記折板屋根において波形と交差する方向に延在して上方に突出するハゼ部の一方側に当接する第１当接部を有する第１挟持部材、前記ハゼ部の他方側に当接して前記第１当接部とともに前記ハゼ部を挟持する第２当接部を有する第２挟持部材、前記第１挟持部材に形成された第１挿通孔及び前記第２挟持部材に形成された第２挿通孔を挿通するボルト、及び、前記第１当接部及び前記第２当接部が前記ハゼ部を挟持した状態で前記ボルトと螺合し、前記ボルトとともに前記第１挟持部材及び前記第２挟持部材を締結するナットを有するグリップ部材とを備え、
前記フレーム部材の少なくとも一部が、取付ボルト及び前記取付ボルトと螺合する取付ナットにより前記第１挟持部材又は前記第２挟持部材に締結され、又は、前記第１挟持部材又は前記第２挟持部材と一体成形されていることを特徴とする折板屋根用架台。
【請求項２】
前記第２当接部が、前記第１当接部と接近・離反する方向に回動可能であることを特徴とする請求項１に記載の折板屋根用架台。
【請求項３】
前記第２挟持部材には、前記第２当接部が前記第１当接部と接近する方向への回動が前記ボルトに案内されて前記第２挿通孔が前記第１挿通孔と正対するように、前記ボルトと係合する係合部が設けられていることを特徴とする請求項２に記載の折板屋根用架台。
【請求項４】
前記第１挟持部材又は前記第２挟持部材には、前記ボルト又は前記ナットに接して前記ボルト又は前記ナットの回転を規制する回転規制部が設けられていることを特徴とする請求項１乃至３のいずれか１項に記載の折板屋根用架台。
【請求項５】
前記折板屋根が傾斜を有し、
前記フレーム部材が、前記取付ボルト及び前記取付ナットにより前記第１挟持部材又は前記第２挟持部材に下面が締結されて前記折板屋根の傾斜方向と直交する方向に延在する下桟と、前記下桟の上面に下面が取り付けられて前記折板屋根の傾斜方向に延在し、前記設置物が上面に設置される上桟とを備え、
前記上桟の下面が、前記折板屋根と同じ傾斜を有することを特徴とする請求項１乃至４のいずれか１項に記載の折板屋根用架台。
【請求項６】
前記折板屋根が傾斜を有し、
前記フレーム部材が、前記取付ボルト及び前記取付ナットにより前記第１挟持部材又は前記第２挟持部材に弾性部材を挟んで下面が締結されて前記折板屋根の傾斜方向に延在する下桟と、前記下桟の上面に下面が取り付けられて前記折板屋根の傾斜方向と直交する方向に延在し、前記設置物が上面に設置される上桟とを備えることを特徴とする請求項１乃至４のいずれか１項に記載の折板屋根用架台。
【請求項７】
前記フレーム部材が、前記第１挟持部材又は前記第２挟持部材と一体成形されて前記ハゼ部の延在方向に延在する下桟と、前記下桟の上面に下面が取り付けられて前記ハゼ部の延在方向と直交する方向に延在し、前記設置物が上面に設置される上桟とを備えることを特徴とする請求項１乃至４のいずれか１項に記載の折板屋根用架台。
【請求項８】
前記フレーム部材が、前記下桟の延在方向に沿って複数の取付箇所に取り付けられる複数の上桟を備え、前記複数の上桟の各上面が略同一の高さとなるように、前記複数の上桟の高さ寸法が取付位置ごとに異なることを特徴とする請求項５に記載の折板屋根用架台。
【請求項９】
前記折板屋根が傾斜を有し、
前記フレーム部材が、前記下桟の延在方向に沿って複数の取付箇所に取り付けられる複数の上桟を備え、前記複数の上桟の各上面が略同一の高さとなるように、前記複数の上桟の高さ寸法が取付位置ごとに異なることを特徴とする請求項７に記載の折板屋根用架台。
【発明の詳細な説明】
【技術分野】
【０００１】
本発明は、断面波形の折板屋根の上に設置される空調設備機器、電気設備機器等の設置物を支持する折板屋根用架台に関する。
【背景技術】
【０００２】
工場やコンビニエンスストア等の建物の屋根には、図２２に示すような折板屋根が採用されることも多く、同図において、折板屋根１は、山部１Ａ及び谷部１Ｂが連続する断面波形を有し、山部１Ａ及び谷部１Ｂの連続する方向（図２２の左右方向）と交差する方向（図２２の紙面垂直方向）に延在する折板状の屋根部材１ｘが複数組み合わせられて形成される。
【０００３】
すなわち、屋根部材１ｘの一方側（図２２において左側）の端縁には、上方に突出して湾曲する被取付部１ａが設けられ、屋根部材１ｘの他方側（図２２において右側）の端縁には、端面袋状の取付部１ｂが設けられている。一の屋根部材１ｘの取付部１ｂが他の屋根部材１ｘの被取付部１ａに取り付けられ、屋根部材１ｘ同士が連結されることにより、上方に突出するハゼ部２が形成された折板屋根１が構成されている。
【０００４】
折板屋根の上には、設置スペースや配管、騒音等の観点から、空調設備機器、電気設備機器等の設置物が設置されることがある。このような場合、従来は、折板屋根に孔を開け、設置物を固定するためのブラケット金具をその孔を通して建物の構造躯体に取り付けた後、孔をシールする方法が多用されていた。ところが、この方法は現場ごとに具体的なアレンジをしなければならないため、作業効率がよくないばかりか、折板屋根に開孔することにより、経年劣化や保守負担の増大が生じやすいという問題があった。
【０００５】
一方、特許文献１には、太陽電池パネル等の物品を取り付けるためのレールと、このレールを折板屋根に取り付けるための屋根上取付具が記載されている。図２３は、このような屋根上取付具１００が図２２の折板屋根１に固定された様子を示し、屋根上取付具１００は、一対のレール取付具１０１，１０１と、レール取付具１０１，１０１を締結するボルト１１０及びナット１１１とを備える。レール取付具１０１は、ハゼ部２の一側方にあてがわれる突片１０２ａが形成された押圧部１０２と、押圧部１０２の上方に延設されてボルト挿通孔１０３ａが開設された連結部１０３と、連結部１０３の上端に設けられたレール設置部１０４とを有する。レール設置部１０４には、押圧突片１０４ａが、他のレール取付具１０１の押圧突片１０４ａと平面視点対称位置に配されるように設けられ、これら一対の押圧突片１０４ａ，１０４ａに側方から挟着されてレール１２０が設置される。
【先行技術文献】
【特許文献】
【０００６】
【特許文献１】特開２０１６−１８８４７１号公報
【発明の概要】
【発明が解決しようとする課題】
【０００７】
屋根上取付具１００によれば、折板屋根に開孔することなく太陽電池パネル等の物品を折板屋根上に設置することができるが、太陽電池パネル等ではなく、重量のある空調設備機器や電気設備機器等の設置物の重さが取付具の特定の部位に集中してかかる場合には、特許文献１に記載のレールの挟着方法では、押圧突片等が荷重に耐えられないおそれがある。特に、地震時には設置物の滑り荷重が過大となるため、設置物が屋根から落下しないように、その取付強度を十分に確保する必要がある。
【０００８】
本発明は、上記の事情に鑑みてなされたもので、重量のある設置物を折板屋根上に十分な取付強度をもって設置可能とする折板屋根用架台を提供することを課題としている。
【課題を解決するための手段】
【０００９】
上記課題を解決するために、本発明に係る折板屋根用架台は、断面波形の折板屋根の上に設置される設置物を支持するフレーム部材と、前記折板屋根において波形と交差する方向に延在して上方に突出するハゼ部の一方側に当接する第１当接部を有する第１挟持部材、前記ハゼ部の他方側に当接して前記第１当接部とともに前記ハゼ部を挟持する第２当接部を有する第２挟持部材、前記第１挟持部材に形成された第１挿通孔及び前記第２挟持部材に形成された第２挿通孔を挿通するボルト、及び、前記第１当接部及び前記第２当接部が前記ハゼ部を挟持した状態で前記ボルトと螺合し、前記ボルトとともに前記第１挟持部材及び前記第２挟持部材を締結するナットを有するグリップ部材とを備え、前記フレーム部材の少なくとも一部が、取付ボルト及び前記取付ボルトと螺合する取付ナットにより前記第１挟持部材又は前記第２挟持部材に締結され、又は、前記第１挟持部材又は前記第２挟持部材と一体成形されていることを特徴とする。
【００１０】
この折板屋根用架台では、フレーム部材の少なくとも一部が、取付ボルト及び取付ボルトと螺合する取付ナットにより第１挟持部材又は第２挟持部材に締結され、又は、第１挟持部材又は第２挟持部材と一体成形されているので、たとえ地震時等に過大な滑り荷重がかかったとしても、グリップ部材と取付ボルト及び取付ナットにより堅固に締結され、又は、グリップ部材と一体成形されたフレーム部材が、グリップ部材に対してずれたり外れたりすることが防止され、重量のある設置物を折板屋根上に十分な取付強度をもって設置可能となる。
【００１１】
前記第２当接部は、前記第１当接部と接近・離反する方向に回動可能であってもよく、前記第２挟持部材には、前記第２当接部が前記第１当接部と接近する方向への回動が前記ボルトに案内されて前記第２挿通孔が前記第１挿通孔と正対するように、前記ボルトと係合する係合部が設けられていてもよい。これにより、第２当接部が第１当接部と接近して第１挟持部材及び第２挟持部材が締結される場合に、第２挿通孔が第１挿通孔といわば自動的に正対して第１挟持部材及び第２挟持部材のボルト軸回り方向等のずれがなくなり、締結作業のやり直しが不要となって、設置作業の容易化を図ることができる。
【００１２】
前記第１挟持部材又は前記第２挟持部材には、前記ボルト又は前記ナットに接して前記ボルト又は前記ナットの回転を規制する回転規制部が設けられていてもよい。特許文献１に記載の屋根上取付具１００では、作業者は、ボルト１１０及びナット１１１を増し締めして仮止めしたレール取付具１０１，１０１を締結しようとする場合に、一方の手でレール取付具１０１，１０１をボルト軸回り方向のずれをなくした位置に保ちつつ、他方の手でボルト１１０及びナット１１１の締結作業をしなければならず、この片手による締結作業でボルト１１０とナット１１１の連れ回り（ボルトとナットの一方が締結力を加えられて回転したときに、他方もつられて回転すること）が生じ、作業に難を来すおそれがあった。しかし、第１挟持部材又は第２挟持部材にボルト又はナットに接してその回転を規制する回転規制部が設けられることにより、作業者がボルト及びナットの締結作業時にその一方を押さえ付けず他方だけを回しても、回転規制部によりその一方の連れ回りが防止されて、そのまま締結作業を完了させることができ、折板屋根上への設置物の設置作業の容易化を図ることができる。
【００１３】
また、前記折板屋根が傾斜を有する場合に、前記フレーム部材が、前記取付ボルト及び前記取付ナットにより前記第１挟持部材又は前記第２挟持部材に下面が締結されて前記折板屋根の傾斜方向と直交する方向に延在する下桟と、前記下桟の上面に下面が取り付けられて前記折板屋根の傾斜方向に延在し、前記設置物が上面に設置される上桟とを備え、前記上桟の下面が、前記折板屋根と同じ傾斜を有してもよい。これにより、折板屋根が傾斜を有する場合にも、それと同じ傾斜を有する上桟の下面が折板屋根の傾斜角度を吸収して、設置物が設置される上桟の上面に影響を与えないので、設置物の姿勢を略水平とすることができる。
【００１４】
あるいは、前記折板屋根が傾斜を有する場合に、前記フレーム部材が、前記取付ボルト及び前記取付ナットにより前記第１挟持部材又は前記第２挟持部材に弾性部材を挟んで下面が締結されて前記折板屋根の傾斜方向に延在する下桟と、前記下桟の上面に下面が取り付けられて前記折板屋根の傾斜方向と直交する方向に延在し、前記設置物が上面に設置される上桟とを備えてもよい。これにより、折板屋根が傾斜を有する場合にも、その傾斜角度を弾性部材が変形して吸収することによって、設置物の姿勢を略水平とすることができる。
【００１５】
前記フレーム部材は、前記第１挟持部材又は前記第２挟持部材と一体成形されて前記ハゼ部の延在方向に延在する下桟と、前記下桟の上面に下面が取り付けられて前記ハゼ部の延在方向と直交する方向に延在し、前記設置物が上面に設置される上桟とを備えてもよい。これにより、下桟と同様にハゼ部の延在方向に延在する前記第１挟持部材又は前記第２挟持部材のハゼ部との当接領域が同方向に拡大し、グリップ部材がハゼ部に対してずれたり外れたりすることが効果的に防止され、重量のある設置物の折板屋根上への取付強度をさらに高めることができる。
【００１６】
さらに、前記折板屋根が傾斜を有する場合に、前記フレーム部材が、前記下桟の延在方向に沿って複数の取付箇所に取り付けられる複数の上桟を備え、前記複数の上桟の各上面が略同一の高さとなるように、前記複数の上桟の高さ寸法が取付位置ごとに異なってもよい。これにより、折板屋根が傾斜を有する場合にも、その傾斜角度を各上桟の高さ寸法の相違が吸収して、設置物の姿勢を略水平とすることができる。
【発明の効果】
【００１７】
本発明によれば、重量のある設置物を折板屋根上に十分な取付強度をもって設置可能となる。
【図面の簡単な説明】
【００１８】
【図１】発明を実施するための形態に係る折板屋根用架台を示す斜視図である。
【図２】図１の折板屋根用架台の取付金具を示す正面図である。
【図３】図２の取付金具を示す分解斜視図である。
【図４】図２の取付金具のガイド溝を示す説明図である。
【図５】図２の取付金具の第２挟持部材が開いている状態（ハゼ部に取り付けるときの状態）を示す正面図である。
【図６】図１の折板屋根用架台のアルミフレームに用いられるボルトを示す斜視図である。
【図７】図１の折板屋根用架台のアルミフレームに用いられる連結金具を示す斜視図である。
【図８】図１の折板屋根用架台のアルミフレームの下桟を示す説明図である。
【図９】図１の折板屋根用架台のアルミフレームの上桟を示す説明図である。
【図１０】（ａ）は、図２の取付金具の第１挟持部材と第２挟持部材とがずれた位置にある状態を示す説明図、（ｂ）は、そのずれがなくなり第１挟持部材の第１挿通孔と第２挟持部材の第２挿通孔とが正対した状態を示す説明図である。
【図１１】図２の取付金具が折板屋根のハゼ部に取り付けられた状態を示す正面図である。
【図１２】（ａ）は、図１１の取付金具に下桟が載置された状態を示す説明図、（ｂ）は、その下桟が固定された状態を示す説明図である。
【図１３】（ａ）は、図１２の下桟に上桟が載置された状態を示す説明図、（ｂ）は、その上桟が固定された状態を示す説明図である。
【図１４】図１３の上桟に空調設備機器が載置されて固定される状態を示す説明図である。
【図１５】発明を実施するための形態に係る折板屋根用架台の他の例を示す説明図である。
【図１６】発明を実施するための形態に係る折板屋根用架台のさらに他の例を示す斜視図である。
【図１７】図１６の折板屋根用架台を示す説明図である。
【図１８】図１６の上桟に空調設備機器が載置されて固定される状態を示す説明図である。
【図１９】発明を実施するための形態に係る折板屋根用架台のさらに他の例を示す斜視図である。
【図２０】図１９のベースを示す斜視図である。
【図２１】図１９のベースを示す正面図である。
【図２２】折板屋根を示す説明図である。
【図２３】従来の屋根上取付具を示す説明図である。
【発明を実施するための形態】
【００１９】
本発明を実施するための形態について、図面に基づいて説明する。
【００２０】
図１は、本実施の形態に係る折板屋根用架台を示す。この折板屋根用架台３は、図２２に示す断面波形の折板屋根１上で重量物である空調設備機器（例えば、エアコンの室外機）４を支持するもので、空調設備機器４が載置されてそれを支持するアルミフレーム５０と、折板屋根１に固定されてアルミフレーム５０が取り付けられる取付金具１０とを備える。
【００２１】
取付金具１０は、図２及び３に示すように、第１挟持部材２０と、第２挟持部材３０と、第１挟持部材２０及び第２挟持部材３０を締結するボルト４０及びナット４１とを有する。
【００２２】
第１挟持部材２０はアルミニウム製で、第１挟持部本体２１と、第１挟持部本体２１と連続する連結部２２と、連結部２２と連続する取付部２３とを有する。
【００２３】
第１挟持部本体２１は、折板屋根１のハゼ部２の一方側に当接する当接面２１Ａａが形成された第１当接部２１Ａと、第１当接部２１Ａから連続する断面略Ｃ字状に湾曲した湾曲部２１Ｂとを有する。
【００２４】
湾曲部２１Ｂは、第１当接部２１Ａから連続する底部２１Ｂａと、底部２１Ｂａから立設する側部２１Ｂｂと、側部２１Ｂｂから内方（第２挟持部材３０の方）に折曲して傾斜する傾斜部２１Ｂｃと、傾斜部２１Ｂｃからさらに内方に折曲して形成された上部２１Ｂｄとを有し、上部２１Ｂｄの上面２１Ｂｅは、後述のように、ボルト４０の頭部４０Ａに接してボルト４０の回転を規制する。
【００２５】
連結部２２は、第１挟持部本体２１の湾曲部２１Ｂの上部２１Ｂｄから上方に折曲して延在する第１連結部２２Ａと、第１連結部２２Ａから外方（第２挟持部材３０と反対の方）に折曲して延在する第２連結部２２Ｂと、第２連結部２２Ｂから上方に折曲して延在する第３連結部２２Ｃとを有し、第２連結部２２Ｂの下面２２Ｂａは、後述のように、ボルト４０の頭部４０Ａに接してボルト４０の回転を規制する。
【００２６】
第１連結部２２Ａには、ボルト４０が挿通する第１挿通孔２２Ａａが穿設され、第１挿通孔２２Ａａの下方における第１連結部２２Ａの内側面には、第２挟持部材３０に向かって突出する突出部２２Ａｂが形成されている。
【００２７】
取付部２３は、連結部２２の第３連結部２２Ｃと連続して上面２３ａ及び下面２３ｂを有する平板状の取付部本体２３Ａと、取付部本体２３Ａの上面２３ａから下面２３ｂに亘って貫通し、次述のように取付ボルト２４が挿通される挿通孔２３Ａａと、取付部本体２３Ａの挿通孔２３Ａａの周囲において下面２３ｂから突出する一対のリブ２３Ｂａ，２３Ｂｂと、取付部本体２３Ａの下面２３ｂから下方に突出する断面鉤型の被係合部２３Ｃとを有する。
【００２８】
挿通孔２３Ａａには、六角形状の頭部２４Ａ及び周面にネジが形成された軸部２４Ｂを有する取付ボルト２４が下方から挿通され、頭部２４Ａは、六角形状の一辺に対応する側面２４Ａａがリブ２３Ｂａに近接し、六角形状の他辺に対応する側面２４Ａｂがリブ２３Ｂｂに近接し、取付ボルト２４が回転しようとすると、リブ２３Ｂａが側面２４Ａａに接するとともにリブ２３Ｂｂが側面２４Ａｂに接して取付ボルト２４の回転を規制する。
【００２９】
取付部本体２３Ａから突出した取付ボルト２４の軸部２４Ｂは、挿通孔２５Ａを有して取付部本体２３Ａの上面２３ａに付着したゴム製のマット２５のその挿通孔２５Ａと、ワッシャ２６，２７とに挿通され、取付ナット２８が螺着して仮止めされている。マット２５は、空調設備機器４の作動時における防音・防振に供する。
【００３０】
第２挟持部材３０は、第１挟持部材２０と同様にアルミニウム製で、第２挟持部本体３１と、第２挟持部本体３１と連続する連結部３２とを有する。
【００３１】
第２挟持部本体３１は、折板屋根１のハゼ部２の他方側に当接する当接面３１Ａａが形成された第２当接部３１Ａと、第２当接部３１Ａから連続する断面略逆Ｃ字状に湾曲した湾曲部３１Ｂとを有する。
【００３２】
湾曲部３１Ｂは、第２当接部３１Ａから連続する底部３１Ｂａと、底部３１Ｂａから立設する側部３１Ｂｂと、側部３１Ｂｂから内方に折曲して傾斜する傾斜部３１Ｂｃとを有する。
【００３３】
連結部３２は、第２挟持部本体３１の湾曲部３１Ｂの傾斜部３１Ｂｃから上方に折曲して延在する連結部本体３２Ａと、連結部本体３２Ａから連続する断面鉤型の係合部３２Ｂとを有する。
【００３４】
連結部本体３２Ａには、上下方向に長い長孔でボルト４０が挿通する第２挿通孔３２Ａａが穿設され、第２挿通孔３２Ａａの上方における連結部本体３２Ａの内側面には、第１挟持部材２０に向かって突出するとともに、ボルト４０が係合するガイド溝３４が形成された突出部３３が設けられている。
【００３５】
係合部３２Ｂは、第１挟持部材２０の取付部２３の被係合部２３Ｃに対し、第２挟持部材３０が回動可能となるように係合される。
【００３６】
ボルト４０は、六角形状の頭部４０Ａ及び周面にネジが形成された軸部４０Ｂを有し、軸部４０Ｂが第１挟持部材２０に形成された第１挿通孔２２Ａａと第２挟持部材３０に形成された第２挿通孔３２Ａａとに挿通される。
【００３７】
このとき、頭部４０Ａは、六角形状の一辺に対応する側面４０Ａａが第１挟持部材２０の上部２１Ｂｄの上面２１Ｂｅに近接し、六角形状の他辺に対応する側面４０Ａｂが第１挟持部材２０の第２連結部２２Ｂの下面２２Ｂａに近接し、ボルト４０が回転しようとすると、上面２１Ｂｅが側面４０Ａａに接するとともに下面２２Ｂａが側面４０Ａｂに接してボルト４０の回転を規制する。
【００３８】
ナット４１は、第２挿通孔３２Ａａから突出するボルト４０の軸部４０Ｂにワッシャ４２，４３を介して螺合する。
【００３９】
図４は、突出部３３に形成されたガイド溝３４を示す。ガイド溝３４は、第１挿通孔２２Ａａと第２挿通孔３２Ａａとが正対するときのボルト４０の軸部４０Ｂの突出部３３における投影位置が切り欠かれるように形成されている。
【００４０】
詳細には、ガイド溝３４は、突出部３３の先端縁３３ａから第２挿通孔３２Ａａの中心を通る軸線Ｃに近づくにつれて連結部３２の方に向かって傾斜する第１辺３４ａと、第１辺３４ａの連結部３２側の端部から連結部３２に向かって軸線Ｃと平行に延在する第２辺３４ｂと、第２辺３４ｂの連結部３２側の端部から先端縁３３ａと平行に延在し、軸線Ｃに対して対称に形成された第３辺３４ｃと、第２辺３４ｂと軸線Ｃに対して対称に形成された第４辺３４ｄと、第１辺３４ａと軸線Ｃに対して対称に形成された第５辺３４ｅとにより区画され、第１辺３４ａ及び第５辺３４ｅは、先端縁３３ａの側に向かって拡開するように形成され、第２辺３４ｂ及び第４辺３４ｄは、ボルト４０の軸部４０Ｂの直径よりも若干大きい程度の距離だけ離間して形成されている。
【００４１】
ガイド溝３４は、第１辺３４ａと第５辺３４ｅとの間又は第２辺３４ｂと第４辺３４ｄとの間にボルト４０の軸部４０Ｂが入り込むことにより、ボルト４０と係合する。
【００４２】
図５に示すように、この取付金具１０は、ナット４１が仮止めされた状態で、被係合部２３Ｃと係合部３２Ｂとの係合位置を回動中心として、第２当接部３１Ａが第１当接部２１Ａに対して接近・離反するように、第２挟持部材３０が第１挟持部材２０に対して回動する。
【００４３】
アルミフレーム５０は、取付金具１０に取り付けられるアルミニウム製の下桟５１と、下桟５１に取り付けられて空調設備機器４が載置されるアルミニウム製の上桟５２と、下桟５１及び上桟５２の連結に用いられるボルト５３及び連結金具５４とを備え（図１参照）、ボルト５３は、図６に示すように、平面視矩形板状で２つの角部にＲが形成された回転止め部５３Ａ及び回転止め部５３Ａと略垂直に交わる軸部５３Ｂを有し、連結金具５４は、図７に示すように、２つの挿通孔５４Ａを有する。
【００４４】
下桟５１は、図８に示すように、断面矩形の筒状を呈し、下面部５１Ａには挿通孔５１Ａａが形成され、上面部５１Ｂにはボルト５３の回転止め部５３Ａが嵌入される嵌入溝５１Ｂａ，５１Ｂａが２本形成されている。
【００４５】
上桟５２は、図９に示すように、断面矩形の筒状を呈し、側面部５２Ａの下部には側面部５２Ａの長手方向に亘って側方に突出したフランジ部５２Ｂが下面部５２Ｃと連続するように形成され、上面部５２Ｄにはボルト５３の回転止め部５３Ａが嵌入される嵌入溝５２Ｄａが１本形成されている。
【００４６】
折板屋根用架台３を折板屋根１に取り付ける場合、作業者は、まず、取付金具１０の第１挟持部材２０の第１挟持部材本体２１の底部２１Ｂａ、及び、第２挟持部材３０の第２挟持部材本体３１の底部３１Ｂａを折板屋根１の山部１Ａの頂部に載置する。
【００４７】
次に、作業者は、第１挟持部材２０の第１当接部２１Ａの当接面２１Ａａをハゼ部２の一方側に当接させた状態で、第２挟持部材３０の第２当接部３１Ａの当接面３１Ａａを当接面２１Ａａに接近させるように第２挟持部材３０を回動させ、当接面３１Ａａをハゼ部２の他方側に当接させる。
【００４８】
このとき、図１０（ａ）に示すように、回動前や回動初期は第１挟持部材２０と第２挟持部材３０とがボルト４０の軸回り方向や被係合部２３Ｃ及び係合部３２Ｂの延在方向（図２の紙面垂直方向、図１０の上下方向）等にずれていたとしても、第２挟持部材３０が回動するにつれてボルト４０と係合するガイド溝３４の第１辺３４ａ又は第５辺３４ｅに軸部４０Ｂが当たり、次いで第２辺３４ｂ又は第４辺３４ｄに当たることによって、回動軌道がボルト４０に案内され、当接面３１Ａａが当接面２１Ａａに近づくと、図１０（ｂ）に示すように、軸部４０Ｂの軸が軸線Ｃ（図４参照）と揃って第２挿通孔３２Ａａが第１挿通孔２２Ａａと正対する。
【００４９】
続いて、作業者は、その第１挟持部材２０と第２挟持部材３０とがハゼ部２を挟持した状態を片手で維持したまま、もう片方の手で電動工具等によりボルト４０の軸部４０Ｂに仮止めされたナット４１を増し締めし、ボルト４０及びナット４１による第１挟持部材２０と第２挟持部材３０との締結作業を終え、図１１に示すように取付金具１０のハゼ部２への取付けを完了する。
【００５０】
この取付金具１０への下桟５１の取付けは、図１２に示すように、作業者が取付ボルト２４の軸部２４Ｂに仮止めされていた取付ナット２８及びワッシャ２６，２７を一旦取り外し、軸部２４Ｂを下面部５１Ａの挿通孔５１Ａａに挿通させた後、片手で下桟５１の取付位置を保持したまま、もう片方の手でワッシャ２６，２７及び取付ナット２８を再度軸部２４Ｂに取り付けることにより行われる。
【００５１】
そして、作業者は、図１３に示すように、下桟５１の上面部５１Ｂの所望の位置に、下桟５１と交差するように上桟５２を配置し、嵌入溝５１Ｂａに回転止め部５３Ａを嵌入したボルト５３の軸部５３Ｂで上桟５２のフランジ部５２Ｂを側方から押さえた状態で、軸部５３Ｂが挿通孔５４Ａを挿通するようにフランジ部５２Ｂの上方から連結金具５４を被せ、連結金具５４から突出するボルト５３の軸部５３Ｂにワッシャ５５及びナット５６を取り付けて上桟５２を固定する。
【００５２】
なお、回転止め部５３Ａは、矩形の短辺方向の寸法が嵌入溝５１Ｂａの上面部５１Ｂにおける溝幅よりも短く、矩形の長辺方向の寸法が嵌入溝５１Ｂａの上面部５１Ｂにおける溝幅よりも長く形成されているので、ボルト５３は、回転止め部５３Ａを短辺方向がその溝幅の方向と一致した状態で嵌入溝５１Ｂａに入れた後、軸部５３Ｂの回りに９０度回転させることにより、嵌入溝５１Ｂａに対してその端部のみならず任意の位置から嵌入させることができる（嵌入溝５２Ｄａに対しても同様である。）。
【００５３】
その後、作業者は、図１４に示すように、上桟５２の上面部５２Ｄの所望の位置に空調設備機器４を配置し、嵌入溝５２Ｄａに回転止め部５３Ａを嵌入したボルト５３の軸部５３Ｂを、空調設備機器４の脚部４Ａを固定するためのＬ字状金具５７に形成された挿通孔５７Ａに挿通させ、Ｌ字状金具５７から突出するボルト５３の軸部５３Ｂにワッシャ５５及びナット５６を取り付けて空調設備機器４を固定する。
【００５４】
この実施の形態に係る折板屋根用架台３では、アルミフレーム５０は、取付金具１０に取り付けられるアルミニウム製の下桟５１が、取付ボルト２４及び取付ナット２８により第１挟持部材２０の取付部２３に締結されているので、たとえ地震時等に過大な滑り荷重がかかったとしても、取付金具１０と取付ボルト２４及び取付ナット２８により堅固に締結されたアルミフレーム５０が、取付金具１０に対してずれたり外れたりすることが防止され、空調設備機器４が重量のある設置物でも折板屋根１上に十分な取付強度をもって設置可能となる。
【００５５】
また、第１挟持部材２０にボルト４０の頭部４０Ａに接してボルト４０の回転を規制する湾曲部２１Ｂの上面２１Ｂｅ及び第２連結部２２Ｂの下面２２Ｂａが設けられているので、作業者がボルト４０及びナット４１の締結作業時にボルト４０を押さえ付けずナット４１だけを回しても、その上面２１Ｂｅ及び下面２２Ｂａによりボルト４０の連れ回りが防止され、そのまま締結作業を完了させることができる。したがって、折板屋根１上への空調設備機器４の設置作業の容易化を図ることができる。
【００５６】
第２挟持部材３０には、第２当接部３１Ａが第１当接部２１Ａと接近する方向への回動がボルト４０に案内されて第２挿通孔３２Ａａが第１挿通孔２２Ａａと正対するように、ボルト４０と係合するガイド溝３４が設けられているので、第２当接部３１Ａが第１当接部２１Ａと接近して第１挟持部材２０及び第２挟持部材３０が締結される場合に、第２挿通孔３２Ａａが第１挿通孔２２Ａａといわば自動的に正対して第１挟持部材２０及び第２挟持部材３０の位置関係のずれがなくなり、締結作業のやり直しが不要となって、設置作業のさらなる容易化を図ることができる。
【００５７】
さらに、図１に示す構成では、空調設備機器４及びアルミフレーム５０の荷重が４つの取付金具１０に点状に分散されるので、折板屋根１の強度がある箇所に取付金具１０を取り付ければよく、アルミフレーム５０は一対の下桟５１，５１と一対の上桟５２，５２とが井桁状に組まれたもので、上桟５２の固定位置を下桟５１の上面部５１Ｂの長手方向に沿って形成された嵌入溝５１Ｂａ上の任意の箇所とし、空調設備機器４の固定位置を上桟５２の上面部５２Ｄの長手方向に沿って形成された嵌入溝５２Ｄａ上の任意の箇所とすることができるので、空調設備機器４をその形状や大きさ、重量バランスに応じて適切に支持することができる。
【００５８】
図１５は、本実施の形態に係る折板屋根用架台の他の例を示す。この折板屋根用架台５は、折板屋根１が勾配を有する場合に用いられるもので、アルミフレーム６０と、取付金具１０とを備える。
【００５９】
アルミフレーム６０は、上桟５２，５２の代わりに上桟６１，６２を有するほかは、アルミフレーム５０と同様の構成を有する。
【００６０】
上桟６１は、断面台形の筒状を呈し、側面部６１Ａの下部に側面部６１Ａの長手方向に亘って側方に突出したフランジ部６１Ｂが下面部６１Ｃと連続するように形成され、上面部６１Ｄにボルト５３の回転止め部５３Ａが嵌入される嵌入溝６１Ｄａが１本形成されている点は、上桟５２と同様である。
【００６１】
同様に、上桟６２は、断面台形の筒状を呈し、側面部６２Ａの下部に側面部６２Ａの長手方向に亘って側方に突出したフランジ部６２Ｂが下面部６２Ｃと連続するように形成され、上面部６２Ｄにボルト５３の回転止め部５３Ａが嵌入される嵌入溝６２Ｄａが１本形成されている。
【００６２】
上桟６１，６２が上桟５２と異なるのは、フランジ部（６１Ｂ，６２Ｂ）及び下面部（６１Ｃ，６２Ｃ）が上面部（６１Ｄ，６２Ｄ）と並行ではなく、折板屋根１と同じ傾斜を有している点で、上桟６１と上桟６２とは、下面部（６１Ｃ，６２Ｃ）と上面部（６１Ｄ，６２Ｄ）との離間距離が異なる（それに応じて側面部（６１Ａ，６２Ａ）の高さも異なる。）。
【００６３】
上桟６１，６２は、その上面部６１Ｄ，６２Ｄが同じ高さとなるように、折板屋根１の傾斜方向に延在する下桟５１の上面部５１Ｂに取り付けられる。
【００６４】
この折板屋根用架台５では、折板屋根１の傾斜方向と直交する方向に延在する上桟６１，６２のフランジ部６１Ｂ，６２Ｂ及び下面部６１Ｃ，６２Ｃが、折板屋根１と同じ傾斜を有し、上面部６１Ｄ，６２Ｄが同じ高さとなるように、上桟６１，６２の高さ寸法が取付位置ごとに異なっているので、折板屋根１の傾斜角度を吸収して、空調設備機器４が設置される上桟６１，６２の上面部６１Ｄ，６２Ｄへの影響が遮断され、空調設備機器４の姿勢を略水平とすることができる。
【００６５】
図１６及び１７は、本実施の形態に係る折板屋根用架台のさらに他の例を示す。この折板屋根用架台６は、折板屋根１が勾配を有する場合に用いられるもので、アルミフレーム７０と、取付金具１０とを備える。
【００６６】
アルミフレーム７０は、下桟５１，５１の代わりに折板屋根１の傾斜方向と直交する方向に延在する下桟７１，５１を有するとともに、上桟５２，５２が折板屋根１の傾斜方向に延在するほかは、アルミフレーム５０と同様の構成を有する。
【００６７】
下桟７１は、下桟５１の高さ寸法を増したもので、その下面部７１Ａには挿通孔５１Ａａと同様の図示を略す挿通孔が形成され、上面部７１Ｂにはボルト５３の回転止め部５３Ａが嵌入される嵌入溝７１Ｂａ，７１Ｂａが二本形成されている。
【００６８】
空調設備機器４には、図１８に示すように、脚部４Ａの代わりに底部に挿通孔４Ｂが設けられ、上桟５２の篏入溝５２Ｄａに回転止め部５３Ａが篏入されたボルト５３の軸部５３Ｂが挿通孔４Ｂに挿通されて、ワッシャ５５及びナット５６が螺着されることにより、空調設備機器４が固定される。
【００６９】
この折板屋根用架台６では、アルミフレーム７０が、取付部２３にゴム製のマット２５を挟んで下面部７１Ａ，５１Ａが取り付けられ、折板屋根１の傾斜方向と直交する方向に延在する（高さが異なる）下桟７１，５１と、下桟７１，５１の上面部７１Ｂ，５１Ｂに下面部５２Ｃ，５２Ｃが取り付けられて折板屋根１の傾斜方向に延在し、空調設備機器４が上面部５２Ｄ，５２Ｄに設置される上桟５２，５２とを備えているので、マット５３が楔形に弾性変形して折板屋根１の傾斜角度を吸収して、空調設備機器４が設置される上桟５２，５２の上面部５２Ｄ，５２Ｄへの影響が遮断され、空調設備機器４の姿勢を略水平とすることができる。
【００７０】
図１９は、本実施の形態に係る折板屋根用架台のさらに他の例を示す。この折板屋根用架台７は、取付金具部８０と下桟部８１とが一体成形された５本のベース８２と、２本の上桟８３とを有し、ベース８２及び上桟８３はいずれもアルミニウム製であり、下桟部８１及び上桟８３がアルミフレーム８４を構成する。
【００７１】
ベース８２は、図２０及び２１に示すように、取付金具１０の第１挟持部材２０の取付部２３が下桟部８１に置換され、かつ、図２１の紙面垂直方向に延在するもので、下桟部８１以外の部分が取付金具部８０を構成し、取付金具部８０の各部は取付金具１０の各部に対応するので同一符号を付して説明を省略する。
【００７２】
下桟部８１の上面部８１Ａには、嵌入溝５１Ｂａと同様の嵌入溝８１Ａａが１本形成されている。ベース８２の延在方向には、第１相通孔２２Ａａ及び第２相通孔３２Ａａがここでは６組設けられ、第１相通孔２２Ａａ及び第２相通孔３２Ａａの各組にボルト４０の軸部４０Ｂが挿通され、これにワッシャ４２，４３を介してナット４１が螺合する。
【００７３】
上桟８３は、上面部８３Ｄに嵌入溝５２Ｄａと同様の嵌入溝８３Ｄａが１本形成されているほかは、上桟５２と同様の構成を有し、側面部８３Ａの下部には側面部８３Ａの長手方向に亘って側方に突出したフランジ部８３Ｂが下面部８３Ｃと連続するように形成されている。
【００７４】
折板屋根用架台７は、５本のベース８２が取付金具１０と同様にハゼ部２に取り付けられた後、２本の上桟８３が、上桟５２と同様に、フランジ部８３Ｂを連結金具８５（連結金具５４の挿通孔５４Ａを１つにしたもの）により押さえられて５本のベース８２の各長手方向両端部に取り付けられることにより、折板屋根１に取り付けられる。空調設備機器４は、上桟８３に対し、アルミフレーム７０に対すると同様に固定される（図１８参照）。
【００７５】
この折板屋根用架台７では、取付金具部８０と下桟部８１とが一体成形されてハゼ部２の延在方向に延在するベース８２と、下桟部８１の上面部８１Ａに下面部８３Ｃが取り付けられてハゼ部２の延在方向と直交する方向に延在し、空調設備機器４が上面部８３Ｄに設置される上桟８３とを備えているので、第１挟持部材２０及び第２挟持部材３０のハゼ部２との当接領域がハゼ部２の延在方向に拡大し、ベース８２がハゼ部２に対してずれたり外れたりすることが効果的に防止され、重量のある設置物の折板屋根上への取付強度をさらに高めることができる。
【００７６】
また、折板屋根１が傾斜を有する場合には、ベース８２の延在方向両端部に取り付けられる２本の上桟８３の各上面部８３Ｄが略同一の高さとなるように、２本の上桟８３の高さ寸法を上桟６１，６２のように異ならせてもよく、これにより、折板屋根１の傾斜角度を各上桟８３の高さ寸法の相違が吸収して、空調設備機器４の姿勢を略水平とすることができる。
【００７７】
なお、本発明は上記実施の形態に限定されることはなく、発明の趣旨を逸脱しない範囲で種々変更可能である。
【００７８】
例えば、上記実施の形態では、第１挟持部材２０にボルト４０の回転を規制する湾曲部２１Ｂの上面２１Ｂｅ及び第２連結部２２Ｂの下面２２Ｂａが設けられているが、このようにボルト４０の回動を規制する部分を１つ又は３つ以上としてもよく、あるいは、ボルト４０の回動を規制するのではなく、ナット４１の回動を規制する部分を第２挟持部材３０等に任意の数だけ設けてもよい。
【００７９】
また、下桟（下桟部）及び上桟の嵌入溝の数を１本又は２本ではなく３本以上としてもよく、下桟を支持するグリップ部材の数は、図１等に示すように２つであっても、図１６に示すように４つであってもよく、下桟（下桟部）及び上桟の数や第１挟持部材及び第２挟持部材を締結するボルト及びナットの数も、いくつであってもかまわない。
【符号の説明】
【００８０】
１        折板屋根
２        ハゼ部
３        折板屋根用架台
４        空調設備機器（設置物）
５        折板屋根用架台
６        折板屋根用架台
７        折板屋根用架台
１０      取付金具（グリップ部材）
２０      第１挟持部材
２１      第１挟持部本体
２１Ａ    第１当接部
２１Ｂ    湾曲部
２１Ｂｅ  （湾曲部の）上面（回転規制部）
２２      連結部
２２Ａａ  第１挿通孔
２２Ｂ    第２連結部
２２Ｂａ  （第２連結部の）下面（回転規制部）
２３      取付部
２４      取付ボルト
２８      取付ナット
３０      第２挟持部材
３１Ａ    第２当接部
３１Ｂ    湾曲部
３２      連結部
３２Ａａ  第２挿通孔
３４      ガイド溝（係合部）
４０      ボルト
４０Ａ    （ボルトの）頭部
４０Ｂ    （ボルトの）軸部
４１      ナット
５０      アルミフレーム（フレーム部材）
５１      下桟
５１Ｂ    （下桟の）上面部（上面）
５２      上桟
５２Ｃ    （上桟の）下面部（下面）
５２Ｄ    （上桟の）上面部（上面）
６０      アルミフレーム（フレーム部材）
６１      上桟
６１Ｃ    （上桟の）下面部（下面）
６１Ｄ    （上桟の）上面部（上面）
６２      上桟
６２Ｃ    （上桟の）下面部（下面）
６２Ｄ    （上桟の）上面部（上面）
７０      アルミフレーム（フレーム部材）
７１      下桟
７１Ｂ    （下桟の）上面部（上面）
８１      下桟部（下桟）
８１Ａ    （下桟部の）上面部（上面）
８３      上桟
８３Ｃ    （上桟の）下面部（下面）
８４      アルミフレーム（フレーム部材）
【図１】
2018197442.tif 000003
【図２】
2018197442.tif 000004
【図３】
2018197442.tif 000005
【図４】
2018197442.tif 000006
【図５】
2018197442.tif 000007
【図６】
2018197442.tif 000008
【図７】
2018197442.tif 000009
【図８】
2018197442.tif 000010
【図９】
2018197442.tif 000011
【図１０】
2018197442.tif 000012
【図１１】
2018197442.tif 000013
【図１２】
2018197442.tif 000014
【図１３】
2018197442.tif 000015
【図１４】
2018197442.tif 000016
【図１５】
2018197442.tif 000017
【図１６】
2018197442.tif 000018
【図１７】
2018197442.tif 000019
【図１８】
2018197442.tif 000020
【図１９】
2018197442.tif 000021
【図２０】
2018197442.tif 000022
【図２１】
2018197442.tif 000023
【図２２】
2018197442.tif 000024
【図２３】
2018197442.tif 000025